(57)【特許請求の範囲】
【請求項１】
駆動装置の回転軸に取り付けられるボスと、
前記ボスの外周に設けられ、回転軸方向に送風する複数の翼と、
を備え、
前記翼は、半径方向の断面形状において、
前記翼の外周縁部側に形成され、気流の下流側に凸となるように湾曲した外側湾曲部と、
前記外側湾曲部と前記ボスとの間に形成され、気流の下流側に凸となるように湾曲した内側湾曲部と、を有すると共に、
前記外側湾曲部における前記翼の圧力面と、前記回転軸に直交する平面とが接する第１極大点と、
前記内側湾曲部における前記翼の圧力面と、前記回転軸に直交する平面とが接する第２極大点と、
前記第１極大点と前記第２極大点との間で凹状に湾曲した谷状部の前記翼の圧力面と、前記回転軸に直交する平面とが接する極小点と、
前記翼の圧力面と前記ボスとが接する接続点と、
を有し、
前記翼の回転方向の前縁部と後縁部との間で、前記第１極大点が形成される起点が、前記第２極大点が形成される起点よりも前縁部側に形成され、
前記回転軸に投影した、前記極小点と前記第１極大点との間の高さＬ１が、前記第１極大点が形成される起点から前記後縁部に向けて増加し、
前記回転軸に投影した、前記接続点と前記第２極大点との間の高さＬ２が、前記第２極大点が形成される起点から前記後縁部に向けて増加し、
前記第２極大点は、前記第２極大点が形成される起点から前記翼の前記後縁部に向かって、前記ボスの中心点から前記第２極大点までの半径が増加するように形成されているプロペラファン。
【請求項２】
前記回転軸に投影した、前記極小点と前記第１極大点との間の前記高さＬ１が、前記回転軸に投影した、前記接続点と前記第２極大点との間の前記高さＬ２より大きい請求項１に記載のプロペラファン。
【請求項３】
前記第１極大点は、前記回転軸を中心としてプロペラファンの外径の９０％より外周側の範囲に形成される請求項１又は２に記載のプロペラファン。
【請求項４】
前記翼の半径方向の断面形状において、前記第１極大点と前記翼の外周縁部との半径方向の長さＲＬ１よりも、前記第１極大点と前記第２極大点との半径方向の長さＲＬ２の方が長い請求項１〜３のいずれか１項に記載のプロペラファン。
【請求項５】
前記翼の半径方向の断面形状において、前記極小点は、前記第１極大点の半径方向の位置と前記第２極大点の半径方向の位置との間の中間位置より半径方向の内周側に形成されている請求項１〜４のいずれか１項に記載のプロペラファン。
【請求項６】
プロペラファンの回転方向の同一半径上において、前記翼の前記前縁部と前記翼の前記後縁部との間の回転方向の長さに対して、前記第２極大点の起点が、前記翼の前記前縁部から５０％の位置より前記前縁部側の位置に形成されている請求項１〜５のいずれか１項に記載のプロペラファン。
【請求項７】
前記翼を回転方向に投影した断面において、前記翼と前記ボスとの接続部における前記翼の前記前縁部と前記後縁部との間の中点よりも、前記翼の外周縁部側の前記前縁部と前記後縁部との間の中点が、気流の下流側に形成されている請求項１〜６のいずれか１項に記載のプロペラファン。
【請求項８】
請求項１〜７のいずれか１項に記載のプロペラファンを備えた送風機。
【請求項９】
プロペラファンを径方向の外方から囲むベルマウスと、
前記ベルマウスの気流が排出される出口部に設置された網目状の防護ガードと、
をさらに備え、
前記防護ガードは、半径方向外側の網目隙間が半径方向内側の網目隙間に対して小さく形成されている請求項８に記載の送風機。
【請求項１０】
請求項８又は９に記載の送風機を室外ユニットに備えた空気調和機。
【発明の詳細な説明】
【技術分野】
【０００１】
本発明は、プロペラファン、プロペラファンを備えた送風機及び送風機を用いた空気調和機に関するものである。
【背景技術】
【０００２】
従来から、低騒音化と高効率化の実現を図るようにしたプロペラファンが種々提案されている。たとえば、送風時の騒音を低減するための手段として、翼の外周端に折り曲げ部を設けて端部に発生する渦を弱めるプロペラファン、あるいは翼の後縁に切欠き又は凹凸の波断面を設けて気流を乱すことで特定の周波数音を避けるプロペラファンが提案されている（特許文献１参照）。また、翼の後縁に複数の凹凸を設けて気流が外側へ偏らないようにすることで効率を上げるプロペラファンが提案されている（特許文献２参照）。
【先行技術文献】
【特許文献】
【０００３】
【特許文献１】特開２０１３−２４９７８７号公報
【特許文献２】特開２００９−１８５８０３号公報
【発明の概要】
【発明が解決しようとする課題】
【０００４】
プロペラファンを低騒音かつ高効率で動作させるためには、気流の乱れを抑制することが必要であり、そのためには羽根に沿って気流が流れる事が必要である。
しかし、翼の外側と内側の回転周速の差が大きいこと、あるいは遠心力で風が半径方向の外側へ力を受けることから、翼の内側では気流が翼に沿いにくく、特に気流の下流側では翼面から離れた位置に、剥離した渦が発生する。
特許文献１に示されたプロペラファンのように、翼端部に凹凸領域を設けても、翼の中央付近では外周側へ向かう気流を翼に沿わせるように制御することは難しく、また、剥離した気流を翼に沿わせるように制御することも難しい。さらに、特許文献２に示されたプロペラファンのように、断面が径方向に左右対称な波型を設けると、翼の法線が半径方向の外向きとなる領域ができ、気流を外向きへ押す力が大きくなるため、内側の気流を翼に沿わせることが難しくなる。【０００５】
本発明は、上記のような課題を解決するためになされたものであり、気流を翼に沿わせることにより、気流の剥離あるいはそれに伴う気流の渦を低減することで圧力損失を低減して、低騒音で高効率なプロペラファン、送風機及び空気調和機を提供することを目的とする。
【課題を解決するための手段】
【０００６】
本発明に係るプロペラファンは、駆動装置の回転軸に取り付けられるボスと、ボスの外周に設けられ、回転軸方向に送風する複数の翼と、を備え、翼は、半径方向の断面形状において、翼の外周縁部側に形成され、気流の下流側に凸となるように湾曲した外側湾曲部と、外側湾曲部とボスとの間に形成され、気流の下流側に凸となるように湾曲した内側湾曲部と、を有すると共に、外側湾曲部における翼の圧力面と、回転軸に直交する平面とが接する第１極大点と、内側湾曲部における翼の圧力面と、回転軸に直交する平面とが接する第２極大点と、第１極大点と第２極大点との間で凹状に湾曲した谷状部の翼の圧力面と、回転軸に直交する平面とが接する極小点と、翼の圧力面とボスとが接する接続点と、を有し、翼の回転方向の前縁部と後縁部との間で、第１極大点が形成される起点が、第２極大点が形成される起点よりも前縁部側に形成され、回転軸に投影した、極小点と第１極大点との間の高さＬ１が、第１極大点が形成される起点から後縁部に向けて増加し、回転軸に投影した、接続点と第２極大点との間の高さＬ２が、第２極大点が形成される起点から後縁部に向けて増加し、第２極大点は、第２極大点が形成される起点から翼の後縁部に向かって、ボスの中心点から第２極大点までの半径が増加するように形成されているものである。
【発明の効果】
【０００７】
本発明に係るプロペラファン、送風機及び空気調和機によれば、プロペラファンの翼が半径方向の断面形状において、翼の圧力面の法線が内向きになる湾曲部を有するので、気流が半径方向の外周側に偏ることがない。また、２つの湾曲部を設けることで気流を区分けし、気流を整流することで、翼と気流との剥離を抑制し、気流の剥離あるいは空気の渦に伴う圧力損失を低減することができる。そのため、プロペラファン、送風機及び空気調和機は高効率と低騒音とを実現することができる。
【図面の簡単な説明】
【０００８】
【図１】本発明の実施の形態１に係るプロペラファンを気流の下流側から見た向きで示す斜視図である。
【図２】本発明の実施の形態１に係るプロペラファンを気流の下流側から見た上面図である。
【図３】図２のプロペラファンにおける半径方向の断面図である。
【図４】本発明の実施の形態１に係るプロペラファンの回転軸から外周縁部までの断面図である。
【図５】本発明の実施の形態１に係るプロペラファンの動作を説明するためのプロペラファンの上面図である。
【図６】本発明の実施の形態１に係るプロペラファンの動作と外周縁部の気流の流れを説明するための断面図である。
【図７】本発明の実施の形態１に係るプロペラファンの動作と第１極大点より内周側を通過する気流の流れを説明するための断面図である。
【図８】本発明の実施の形態１に係るプロペラファンの動作と第２極大点より内周側を通過する気流の流れを説明するための断面図である。
【図９】本発明の実施の形態１に係るプロペラファンの高さＬ１と高さＬ２の大きさの比と騒音差との関係について示す図である。
【図１０】本発明の実施の形態１に係るプロペラファンの他の例を示す概略図である。
【図１１】本発明の実施の形態１に係るプロペラファンの他の例を示す概略図である。
【図１２】本発明の実施の形態１に係るプロペラファンの他の例を示す概略図である。
【図１３】本発明の実施の形態２に係るプロペラファンを気流の下流側から見た上面図である。
【図１４】本発明の実施の形態２に係るプロペラファンの翼の半径方向の断面図である。
【図１５】本発明の実施の形態３に係るプロペラファンの翼の一部の半径方向の概略化した断面図である。
【図１６】本発明の実施の形態４に係るプロペラファンの翼の一部の半径方向の概略化した断面図である。
【図１７】本発明の実施の形態５に係るプロペラファンを下流側から見た上面図である。
【図１８】本発明の実施の形態６に係るプロペラファンの概略化した一部の断面図である。
【図１９】本発明の実施の形態７に係る送風機に用いられるプロペラファンとベルマウスを組合せた構成図である。
【図２０】図１９の回転軸を含む径方向のＢ−Ｂ断面図である。
【図２１】本発明の実施の形態７に係る送風機の構成例を示す、気流の下流側から見た斜視図である。
【図２２】本発明の実施の形態８に係る送風機の構成例を示す、気流の下流側から見た斜視図である。
【図２３】本発明の実施の形態９に係る空気調和機の構成図である。
【図２４】本発明の実施の形態９に係る空気調和機の室外ユニットの構成例を示す斜視図である。
【図２５】図２４の室外ユニットのＣ−Ｃ断面図である。
【発明を実施するための形態】
【０００９】
以下、図面を適宜参照しながら本発明の実施の形態について説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、本発明はこれらの記載に限定されるものではない。
【００１０】
実施の形態１．
図１は、本発明の実施の形態１に係るプロペラファンを気流の下流側から見た向きで示す斜視図である。図１に基づいて、プロペラファン１について説明する。なお、図１において、プロペラファン１の回転軸Ｏを中心とした回転方向を回転方向Ｒで表し、プロペラファン１の回転により生じる気流の方向を気流方向Ｆで表している。
【００１１】
図１に示すように、プロペラファン１は、中央に設けられ、駆動装置の回転軸に取り付けられる円筒状のボス２と、ボス２の外周に設けられ、回転軸Ｏ方向に送風する複数の翼３と、を有している。ボス２は、図示省略のモータなどの駆動装置の回転軸に接続される。なお、図１では、３つの翼３がボス２に取り付けられている状態を例に示しているが、翼３は２つでもよく、また、４つ以上であってもよい。また、図１においてボス２は円筒状に表されているが、多角柱、円錐状、角錐状、半球状及び球状など、一般的にボスに使用される他の形状で構成されてもよい。
【００１２】
翼３は、回転方向Ｒの前方側に位置する前縁部４と、回転方向Ｒの後方側に位置し、前縁部４と向かい合う後縁部５とを有する。また翼３は、前縁部４と後縁部５とを結ぶように翼３の外周側の端部を形成する外周縁部６と、前縁部４と後縁部５とを結ぶように翼３の内周側の端部でボス２と接続される内周端部７と、を有する。各翼３において、気流方向Ｆに対して、下流側の翼面を圧力面８と称し、上流側の翼面を負圧面９と称する。
【００１３】
図２は、本発明の実施の形態１に係るプロペラファンを気流の下流側から見た上面図である。図３は、図２のプロペラファンにおける半径方向の断面図である。図３に示す、（ａ）、（ｂ）、（ｃ）及び（ｄ）の各断面図は、図２における、翼３の前縁部４から後縁部５の間の（ａ）、（ｂ）、（ｃ）及び（ｄ）の４箇所でのプロペラファン１の半径方向の断面形状を示したものである。図２及び図３を用いて本発明の実施の形態１に係るプロペラファン１の翼３の断面について説明する。
【００１４】
断面（ａ）は、翼３が、概ね上流側に凸となる曲線で構成されていることを表している。断面（ｂ）〜断面（ｄ）は、翼３が、翼の外周縁部６側に形成された、気流の下流側に凸となるように湾曲した外側湾曲部１０を有することを示す。また、翼３が、外側湾曲部１０における翼３の圧力面８と、回転軸Ｏに直交する平面Ｈ１とが接する第１極大点２０ａを有することを示す。断面（ｃ）及び断面（ｄ）は、翼３が、外側湾曲部１０とボス２との間に形成された、気流の下流側に凸となるように湾曲した内側湾曲部１１を有することを示す。また、翼３が、内側湾曲部１１における翼３の圧力面８と、回転軸Ｏに直交する平面Ｈ２とが接する第２極大点を有することを示す。さらに、翼３は、第１極大点２０ａと第２極大点２０ｂとの間で凹状に湾曲した谷状部１２の翼３の圧力面８と、回転軸Ｏに直交する平面Ｈ３とが接する極小点２１を有している。そして、翼３の圧力面８とボス２とが接する点を接続点２２と称する。
【００１５】
図２に示すように、第１極大点２０ａ及び第２極大点２０ｂは、前縁部４から後縁部５の間のある半径方向の断面において、それぞれ起点２０ａ１及び起点２０ｂ１が現れ、第１極大点２０ａ及び第２極大点２０ｂは各起点から後縁部５まで形成されている。そして、プロペラファン１は、翼３の回転方向Ｒにおける前縁部４と後縁部５との間で、第１極大点２０ａが形成される起点２０ａ１が、第２極大点２０ｂが形成される起点２０ｂ１よりも前縁部４側に形成されている。なお、起点とは、翼３の回転方向Ｒにおいて前縁部４から後縁部５へ向けて、第１極大点２０ａ又は第２極大点２０ｂが翼３に最初に現れる位置をいう。
【００１６】
図４は、本発明の実施の形態１に係るプロペラファンの回転軸から外周縁部までの断面図である。図４は、翼３において、第１極大点２０ａと、極小点２１と、第２極大点２０ｂと、接続点２２との４点が現れる部位のプロペラファン１の半径方向の断面を表したものである。図４に示すように、第１極大点２０ａと極小点２１との間の回転軸Ｏに投影した軸方向の長さを高さＬ１とし、第２極大点２０ｂと接続点２２との間の回転軸Ｏに投影した軸方向の長さを高さＬ２とする。回転軸Ｏに投影した、極小点２１と第１極大点２０ａとの間の高さＬ１は、第１極大点２０ａが形成される起点２０ａ１から後縁部５に向けて増加する。また、回転軸Ｏに投影した、接続点２２と第２極大点２０ｂとの間の高さＬ２は、第２極大点２０ｂが形成される起点２０ｂ１から後縁部５に向けて増加する。
【００１７】
図５は、本発明の実施の形態１に係るプロペラファンの動作を説明するためのプロペラファンの上面図である。以下、本発明の実施の形態１に係るプロペラファンの動作について気流の模式図により説明する。図５において、プロペラファン１の翼３を通過する気流を半径方向位置で気流ＦＷ１〜ＦＷ３に分けて説明する。図５に示す破線ＢＬ１は、各半径方向の断面の第１極大点２０ａを結んだ仮想線を表しており、破線ＢＬ２は、各半径方向の断面の第２極大点２０ｂを結んだ仮想線を表している。プロペラファン１は、気流の下流側から見た場合に、翼後縁が内周側から外周側にかけて回転方向、反回転方向に波打つような形状を有している。ファンモータなどのプロペラファン１を駆動する機器によりプロペラファン１が回転すると、翼３が気流を下流側へ押し出すとともに、翼３に上流から風が流入する。翼３の外周縁部６は、翼３と図示省略のベルマウスとの間の隙間に隣接するため、翼３に沿って流れる気流ＦＷ１は遠心力により翼の外側に漏れやすい状態にある。一般に、気流ＦＷ１が翼の外側に漏れると翼の表面（圧力面）から裏面（負圧面）にかけて巻き込む空気の渦が発生し、気流の乱れの原因となる。この空気の渦は圧力面、負圧面の差圧が大きいほど強くなる。
【００１８】
図６は、本発明の実施の形態１に係るプロペラファンの動作と外周縁部の気流の流れを説明するための断面図である。図６は、図５の断面（ｂ）の断面図を表したものであり、翼３の外周側を通過する気流ＦＷ１を、断面図を用いて説明するものである。プロペラファン１では、翼３の外周部分に、第１極大点２０ａを頂点とする外側湾曲部１０が設けられていることで、圧力面８の法線Ｎ１が径方向の外側へ傾けられるように翼３が形成されている。プロペラファン１は、第１極大点２０ａを頂点とする外側湾曲部１０により、圧力面８の法線Ｎ１を径方向の外側へ傾けることでわざと気流ＦＷ１を漏らしやすくしている。翼３をこのように構成することで、プロペラファン１は、翼３の圧力面８と負圧面９との差圧を低減し、空気の巻き込みによる気流の乱れを小さくすることができる。
【００１９】
図７は、本発明の実施の形態１に係るプロペラファンの動作と第１極大点より内周側を通過する気流の流れを説明するための断面図である。図７は、図５の断面（ｃ）の断面図を表したものであり、翼３の中央を通過する気流ＦＷ２を、断面図を用いて説明するものである。第１極大点２０ａより内周側を通過する気流ＦＷ２は、気流が漏れる翼３の翼外周端より内周側であって、かつ翼３が気流に与えるトルクが大きい比較的半径方向の外側を通過する気流である。この領域においては、気流ＦＷ２の漏れを少なくして、翼３から気流ＦＷ２へ与える仕事量を大きくすることで圧力面８側の圧力上昇を大きくする必要がある。そこで、プロペラファン１は、図７に示すように、翼３に第１極大点２０ａを頂点とする外側湾曲部１０を設けることで、圧力面８の法線Ｎ２が内周側に向くように構成されている。プロペラファン１は、翼３の圧力面８の法線Ｎ２が内周側に向いているために、遠心力により気流ＦＷ２が翼３の外周側へ漏れることを抑制する。プロペラファン１は、翼３をこのように構成することで、翼３から気流ＦＷ２に与えられたエネルギーにより圧力が上昇した気流を無駄なく下流側に送風することができる。
【００２０】
図８は、本発明の実施の形態１に係るプロペラファンの動作と第２極大点より内周側を通過する気流の流れを説明するための断面図である。図８は、図５の断面（ｄ）の断面図を表したものであり、翼３の第２極大点２０ｂより径方向の内周側を通過する気流ＦＷ３を、断面図を用いて説明するものである。一般的に、翼の径方向の内周側の気流は、ボスと翼とに囲まれるため、気流の摩擦により速度勾配が生じて渦が発生する。そのため、ボス付近の気流は乱れやすくなっている。従来のプロペラファンでは、乱れた気流は遠心力で径方向の外側に流れ、翼の径方向の中央部の気流も乱していた。プロペラファン１は、翼３のボス２に近い側に第２極大点２０ｂを有する内側湾曲部１１を設けている。プロペラファン１は、図８に示すように、第２極大点２０ｂを頂点とする内側湾曲部１１を設けることで、圧力面８の法線Ｎ３が内周側に向くように構成されている。プロペラファン１は、翼３の圧力面８の法線Ｎ３が内周側に向いているために、ボス２側の乱れた気流ＦＷ３が翼３の中央側に流れこまないようにすることができる。
【００２１】
なお、第２極大点２０ｂの起点は、第１極大点２０ａの起点よりも後縁部５側、すなわち、下流側に形成されている。翼３をこのように構成することにより、ボス２側の前縁部４を流れる気流で渦などの乱れが少ない気流については、図５の気流ＦＷ２で示す圧力を上昇させる流路に誘導して送風量の低下を抑制することができる。
【００２２】
また、一般的に、翼に沿って気流が流れるうちに遠心力の作用が大きくなるため、風が径方向の外側へ移動しやすくなる。プロペラファン１では、回転軸Ｏに投影した、極小点２１と第１極大点２０ａとの間の高さＬ１は、第１極大点２０ａが形成される起点２０ａ１から後縁部５に向けて増加している。また、回転軸Ｏに投影した、接続点２２と第２極大点２０ｂとの間の高さＬ２は、第２極大点２０ｂが形成される起点２０ｂ１から後縁部５に向けて増加している。プロペラファン１は、第１極大点２０ａと極小点２１との高低差及び第２極大点２０ｂと接続点２２との高低差を後縁部５に向けて大きくすることで、後縁部５に向かって遠心向きになる気流を整流させることができる。なお、翼３の外周側を流れる気流ＦＷ１は、遠心力を強く受け、径方向外側へ漏れやすい点を考慮する必要がある。そのため、回転軸Ｏに投影した、極小点２１と前記第１極大点２０ａとの間の高さＬ１が、回転軸Ｏに投影した、接続点２２と第２極大点２０ｂとの間の高さＬ２より大きいことが望ましい。
【００２３】
図９は、本発明の実施の形態１に係るプロペラファンの高さＬ１と高さＬ２の大きさの比と騒音差との関係について示す図である。ここで、プロペラファン１の高さＬ１と高さＬ２との関係と、プロペラファン１から生じる騒音との関係について説明する。図９は、実験に基づき、プロペラファン１の高さＬ１と高さＬ２の大きさの比（Ｌ１/Ｌ２）を変化させた場合のファン騒音の変化についての傾向をグラフ化したものである。図９において横軸は、プロペラファン１の高さＬ１と高さＬ２の大きさの比（Ｌ１／Ｌ２）を表す。縦軸は、騒音差［ｄＢ］を表し、上方から下方に掛けて騒音が小さくなることを表している。実験結果では、図９に示すように、高さＬ１と高さＬ２の大きさの比（Ｌ１／Ｌ２）が大きくなるにつれて、騒音が小さくなることが明らかになった。そして、特に、高さＬ１と高さＬ２の大きさの比（Ｌ１／Ｌ２）を０．３以上となるように構成すると、騒音の減少について顕著な効果を得ることができる。
【００２４】
ここで、従来技術にあるように翼に複数の凸部を設けると、気流に対して最も圧力上昇を与えたい領域において、気流が通過する風路を細分化することになる。そのため、凸部の頂点の翼面積が有効に活用できず、十分な圧力上昇を得られない場合がある。プロペラファン１は、気流の乱れが発生するボス２側の気流と、翼３の外周縁部６を流れる気流とを、圧力上昇させたい翼３の中間部の領域から区分けし、気流を整流することで、気流の剥離を抑制し、気流の剥離あるいは気流の渦に伴う圧力損失を低減することができる。そのため、プロペラファン１、このプロペラファン１を用いた送風機及びこの送風機を用いた空気調和機は高効率と低騒音を実現することができる。
【００２５】
図１０は、本発明の実施の形態１に係るプロペラファンの他の例を示す概略図である。なお、実施の形態１に係るプロペラファン１は、図５に示すように、プロペラファン１を気流の下流側から見た場合に、翼後縁が内周側から外周側にかけて回転方向、反回転方向に波打つような形状について説明した。本発明の実施の形態１に係るプロペラファンの他の例は、前縁部４又は後縁部５の形状について説明するものである。実施の形態１に係るプロペラファン１は、図１０に示すように、プロペラファン１を気流の下流側から見た場合に、前縁部４がボス２から外周縁部６に向かって回転方向に前進するように形成されてもよい。
【００２６】
図１１は、本発明の実施の形態１に係るプロペラファンの他の例を示す概略図である。また、実施の形態１に係るプロペラファン１は、図１１に示すように、プロペラファン１を気流の下流側から見た場合に、前縁部４がボス２から外周縁部６に向かって回転方向に緩やかに前進するように形成されてもよい。
【００２７】
図１２は、本発明の実施の形態１に係るプロペラファンの他の例を示す概略図である。また、実施の形態１に係るプロペラファン１は、図１２に示すように、プロペラファン１を気流の下流側から見た場合に、後縁部５がボス２から外周縁部６に向かって回転方向とは反対方向に後進するように形成されてもよい。
【００２８】
実施の形態２．
図１３は、本発明の実施の形態２に係るプロペラファンを気流の下流側から見た上面図である。図１４は、本発明の実施の形態２に係るプロペラファンの翼の半径方向の断面図である。図１４は、図１３における、翼３の前縁部４から後縁部５の間の（ｅ）及び（ｆ）の２箇所での翼３の半径方向の断面形状を示したものである。図１３及び図１４を用いて本発明の実施の形態２に係るプロペラファン１Ａの翼３の断面について説明する。なお、図１〜図８のプロペラファンと同一の構成を有する部位には同一の符号を付してその説明を省略する。本発明の実施の形態２に係るプロペラファンは、実施の形態１に係るプロペラファンの第２極大点２０ｂの形成位置を更に詳細に特定するものである。
【００２９】
図１３に示す破線ＢＬ３は、翼３の断面において定義される第２極大点２０ｂの位置を翼面上に示したものである。翼３の回転方向における翼３の前縁部４から後縁部５に向けて、第２極大点２０ｂが翼３に形成される起点を起点２０ｂ１とし、後縁部５に位置する第２極大点２０ｂを終点２０ｂ２とする。図１３及び図１４に示すように、断面（ｅ）において、ボス２の中心点Ｃから第２極大点２０ｂの起点２０ｂ１までの径方向の長さを長さＲｃとする。また、断面（ｆ）において、ボス２の中心点Ｃから第２極大点２０ｂまでの径方向の長さを長さＲｄとする。さらに、図１３において、ボス２の中心点Ｃから後縁部５に位置する第２極大点２０ｂの終点２０ｂ２までの径方向の長さを長さＲｅとする。なお、なお、中心点Ｃは回転軸Ｏがボス２を軸方向に貫通する部分である。
【００３０】
図１３に示すように、本発明の実施の形態２に係るプロペラファン１Ａでは、断面（ｅ）に示されるボス２の中心点Ｃから第２極大点２０ｂの起点２０ｂ１までの長さＲｃより、断面（ｆ）に示されるボス２の中心点Ｃから第２極大点２０ｂの長さＲｄの方が長い。すなわち、断面（ｅ）に示される第２極大点２０ｂの起点２０ｂ１よりも、断面（ｆ）に示される第２極大点２０ｂの方が半径方向の外側に形成されている。さらに、断面（ｆ）に示されるボス２の中心点Ｃから第２極大点２０ｂの長さＲｄよりも、ボス２の中心点Ｃから後縁部５にある第２極大点２０ｂの終点２０ｂ２の長さＲｄの方が長い。すなわち、断面（ｆ）に示される第２極大点２０ｂよりも、後縁部５にある第２極大点２０ｂの終点２０ｂ２の方が半径方向の外側に形成されている。プロペラファン１Ａは、第２極大点２０ｂが、第２極大点２０ｂが形成される起点２０ｂ１から翼３の後縁部５に向かって、ボス２の中心点Ｃから第２極大点２０ｂまでの半径が増加するように形成されている。
【００３１】
従来のプロペラファンでは、翼の翼面を通過する気流は遠心力により径方向の外側へ向かうため、ボスとの摩擦により乱れた気流も径方向の外側へ移動する。プロペラファン１Ａは、第２極大点２０ｂが、第２極大点２０ｂが形成される起点２０ｂ１から翼３の後縁部５に向かって、ボス２の中心点Ｃから第２極大点２０ｂまでの半径が増加するように形成されている。そのため、ボス２側の乱れた気流が翼３の中央側に流れこまないように気流を整流させることができる。その結果、プロペラファン１Ａ、このプロペラファン１Ａを用いた送風機及びこの送風機を用いた空気調和機は高効率と低騒音を実現することができる。なお、起点２０ｂ１から終点２０ｂ２にかけての第２極大点２０ｂの半径方向の形成位置の変化は、ボス２の中心点Ｃから第２極大点２０ｂまでの半径方向の長さが徐々に拡大することが望ましい。半径方向の長さの変化の方法については、例えば周方向に対して線形変化などを適用すると良い。
【００３２】
実施の形態３．
図１５は、本発明の実施の形態３に係るプロペラファンの翼の一部の半径方向の概略化した断面図である。図１５は、翼３において、第１極大点２０ａと、極小点２１と、第２極大点２０ｂと、接続点２２との４点が現れる部位のプロペラファン１Ｂの半径方向の断面を表したものである。図１５は、プロペラファン１Ｂの回転軸Ｏを含む翼３の一部の半径方向の断面図であり、図１５には、第１極大点２０ａ及び第２極大点２０ｂが示されている。なお、図１〜図１４のプロペラファンと同一の構成を有する部位には同一の符号を付してその説明を省略する。本発明の実施の形態３に係るプロペラファン１Ｂは、実施の形態１に係るプロペラファンにおいて、第１極大点２０ａと第２極大点２０ｂとの間の半径方向の長さと、第１極大点２０ａと外周縁部６との間の半径方向の長さとの関係を更に詳細に特定するものである。
【００３３】
図１５に示すように、翼３の半径方向の断面形状において、第１極大点２０ａとプロペラファン１Ｂの外周縁部６との間の半径方向の長さを長さＲＬ１とし、第１極大点２０ａと第２極大点２０ｂとの間の半径方向の長さを長さＲＬ２とする。プロペラファン１Ｂは、翼３の半径方向の断面形状において、第１極大点２０ａと翼３の外周縁部６との半径方向の長さＲＬ１よりも、第１極大点２０ａと第２極大点２０ｂとの半径方向の長さＲＬ２の方が長く形成されている。
【００３４】
第１極大点２０ａとプロペラファン１Ｂの外周縁部６との領域は、翼３の翼面である圧力面８の法線Ｎ４が径方向の外周側に向くため、気流が径方向の外周側に漏れやすい領域になる。そのため、第１極大点２０ａとプロペラファン１Ｂの外周縁部６との領域を通過する気流の風量を増やしてもプロペラファンの性能向上は難しい。これに対して、第２極大点２０ｂと第１極大点２０ａとの間の領域は、第１極大点２０ａより半径方向の内周側で気流を流す領域となるため、風量を増やして所要の圧力を得ることができる。プロペラファン１Ｂは、翼３の半径方向の断面形状において、長さＲＬ１よりも、長さＲＬ２の方が長く形成されているため、風量を増やして所要の圧力を得る領域が広く形成されている。そのため、プロペラファン１Ｂ、このプロペラファン１Ｂを用いた送風機及びこの送風機を用いた空気調和機は高効率を実現することができる。
【００３５】
なお、第１極大点２０ａの形成位置と外周縁部６との間の領域は、翼３の表面と裏面との圧力差を緩和する領域であり、プロペラファン１Ｂが形成する圧力の上昇に対して大きな効果を与えることは期待できない領域である。そのため、第１極大点２０ａの形成位置は、回転軸Ｏを中心としてプロペラファン１Ｂの外径の９０％より外周側の範囲に形成されていることが望ましい。
【００３６】
実施の形態４．
図１６は、本発明の実施の形態４に係るプロペラファンの翼の一部の半径方向の概略化した断面図である。図１６は、プロペラファン１Ｃの回転軸Ｏを含む翼３の一部の半径方向の断面図であり、図１６には、第１極大点２０ａ及び第２極大点２０ｂが示されている。なお、図１〜図１５のプロペラファンと同一の構成を有する部位には同一の符号を付してその説明を省略する。本発明の実施の形態４に係るプロペラファン１Ｃは、実施の形態１に係るプロペラファンにおいて、第１極大点２０ａと極小点２１との間の半径方向の長さと、極小点２１と第２極大点２０ｂとの間の半径方向の長さとの関係を更に詳細に特定するものである。
【００３７】
図１６に示すように、翼３の半径方向の断面形状において、回転軸Ｏから第１極大点２０ａまでの半径方向の長さＲ１と、回転軸Ｏから極小点２１までの半径方向の長さＲ２との差を長さＲＬ１１とする。また、回転軸Ｏから極小点２１までの半径方向の長さＲ２と、回転軸Ｏからの第２極大点２０ｂまでの半径方向の長さＲ３との差を長さＲＬ１２とする。すなわち、第１極大点２０ａと極小点２１との間の半径方向の長さが長さＲＬ１１であり、極小点２１と第２極大点２０ｂとの間の半径方向の長さが長さＲＬ１２である。
【００３８】
プロペラファン１Ｃは、長さＲＬ１１と長さＲＬ１２とを比較すると、長さＲＬ１２よりも長さＲＬ１１の方が大きく形成されている。また、換言すれば、翼３の半径方向の断面形状において、極小点２１は、第１極大点２０ａの半径方向の位置と第２極大点２０ｂの半径方向の位置との間の中間位置Ｍ１より半径方向の内周側に形成されている。
【００３９】
図１６において、翼３の下流側の翼面の法線Ｎ５及び法線Ｎ６の法線方向に着目する。翼３が外側湾曲部１０を設けていることで、極小点２１から半径方向の外周側の第１極大点２０ａまでの圧力面８の領域において、翼３の圧力面８の法線Ｎ５の方向は半径方向で内周側に向いている。一方、翼３が内側湾曲部１１を設けていることで、極小点２１から半径方向で内周側の第２極大点２０ｂまでの圧力面８の領域において、圧力面８の法線Ｎ６の方向は半径方向で外周側に向いている。
【００４０】
プロペラファン１Ｃでは、翼３の半径方向の断面形状において、極小点２１は、第１極大点２０ａの半径方向の位置と第２極大点２０ｂの半径方向の位置との間の中間位置Ｍ１よりも半径方向の内周側に形成されている。そのため、翼３は長さＲＬ１２よりも長さＲＬ１１の方が大きく形成されている。翼３をこのように構成することで、翼３の圧力面８の法線Ｎ６が半径方向で外周側に向いている領域よりも、翼３の圧力面８の法線Ｎ５が半径方向で内周側に向いている領域が広くなる。そのため、翼３の圧力面８に流れる気流を、圧力面８の第１極大点２０ａと第２極大点２０ｂとの間の領域を通過させることができ、圧力上昇を得る気流が翼３の半径方向の外周側に偏らないようにすることができる。その結果、翼３の半径方向の外周側へ気流が漏れる流れを抑制し、気流の偏りによる圧力損失を抑制することができる。そのため、プロペラファン１Ｃ、このプロペラファン１Ｃを用いた送風機及びこの送風機を用いた空気調和機は高効率と低騒音を実現することができる。
【００４１】
実施の形態５．
図１７は、本発明の実施の形態５に係るプロペラファンを下流側から見た上面図である。本発明の実施の形態５に係るプロペラファン１Ｄは、実施の形態１に係るプロペラファンにおいて、第２極大点２０ｂの起点２０ｂ１の形成位置を更に詳細に特定するものである。なお、図１〜図１６のプロペラファンと同一の構成を有する部位には同一の符号を付してその説明を省略する。
【００４２】
図１７に示す、半径Ｒｆは、プロペラファン１Ｄにおけるボス２の中心点Ｃから翼３の第２極大点２０ｂまでの距離である。なお、中心点Ｃは回転軸Ｏがボス２を軸方向に貫通する部分である。図１７において、実線で示す長さＷＬ１は、翼３における同一半径Ｒｆを結ぶ回転方向の軌跡であり、翼３の前縁部４と半径Ｒｆとの接点である始点２０ｃ１と、翼３の後縁部５と半径Ｒｆとの接点である終点２０ｃ３との間の回転方向の長さである。中間点２０ｃ２は、長さＷＬ１の中間点であり、回転軸Ｏと始点２０ｃ１とを結ぶ半径Ｒｆと、回転軸Ｏと中間点２０ｃ２とを結ぶ半径Ｒｆとの間の角度θは、回転軸Ｏと中間点２０ｃ２とを結ぶ半径Ｒｆと、回転軸Ｏと終点２０ｃ３とを結ぶ半径Ｒｆとの間の角度θと等しい。図１７に示す、破線ＢＬ４は、回転軸Ｏを含む翼３の半径方向の翼断面において、第２極大点２０ｂの位置を翼３の翼面上に示したものである。また、翼３の回転方向Ｒにおいて前縁部４から後縁部５に向けて、第２極大点２０ｂが翼３に形成される起点を起点２０ｂ１とする。第２極大点２０ｂの起点２０ｂ１が形成されている位置は、気流解析の結果に基づくものである。
【００４３】
そして、プロペラファン１Ｄの回転方向Ｒの同一半径Ｒｆ上において、翼３の前縁部４と翼の後縁部５との間の回転方向の長さＷＬ１に対して、第２極大点２０ｂの起点２０ｂ１が、翼３の前縁部４から５０％の位置より前縁部側の位置に形成されている。
【００４４】
ボス２の側壁と気流との摩擦により、翼３の表面で発達するする空気の渦は、図１７の斜線で示した領域Ｓから発生する。プロペラファン１Ｄは、プロペラファン１Ｄの回転方向Ｒの同一半径Ｒｆ上において、翼３の前縁部４と翼の後縁部５との間の回転方向の長さＷＬ１に対して、第２極大点２０ｂの起点２０ｂ１が、翼３の前縁部４から５０％の位置より前縁部４側の位置に形成されている。そのため、ボス２側の乱れた気流が翼３の中央側に流れこまないように気流を抑制することができ、翼３の圧力面８を流れる気流を整流させることができる。その結果、プロペラファン１Ｄ、このプロペラファン１Ｄを用いた送風機及びこの送風機を用いた空気調和機は高効率と低騒音を実現することができる。
【００４５】
実施の形態６．
図１８は、本発明の実施の形態６に係るプロペラファンの概略化した一部の断面図である。図１８は、翼３について、プロペラファン１Ｅを、回転軸Ｏ中心に回転させたときに図１のＡ−Ａ断面に現れる軌跡を表した図（回転投影した図）となっている。なお、図１〜図１７のプロペラファンと同一の構成を有する部位には同一の符号を付してその説明を省略する。
【００４６】
図１８に示すように、プロペラファン１Ｅでは、翼３を回転方向に投影した断面において、翼３とボス２との接続部における翼３の前縁部４と後縁部５との間の中点２３よりも、翼３の外周縁部６側の前縁部４と後縁部５との間の中点２４が、気流の下流側に形成されている。
【００４７】
中点２３よりも中点２４の方が気流の下流側に存在するように翼３が形成されていると、本発明の実施の形態１〜５に係るプロペラファンで示した翼３の圧力面の法線が半径方向で内周側に向いている領域において、法線が半径方向の内周側に向く傾向が強くなる。そのため、翼３の圧力面８に沿って通過する気流が、プロペラファン１Ｅの半径方向の外周側に偏らない。なお、第２極大点から極小点の間の領域などは、圧力面の法線方向が外周側に向いているが、本発明の実施の形態１〜５に係るプロペラファンに比べて、翼３の全体としては、圧力面の法線方向が半径方向で内周側に向く傾向が強くなる。そのため、翼３は、気流に内向きの力を与える作用が強くなる。その結果、その結果、翼３の半径方向の外周側へ気流が漏れる流れを抑制し、気流の偏りによる圧力損失を抑制することができる。そのため、プロペラファン１Ｅ、このプロペラファン１Ｅを用いた送風機及びこの送風機を用いた空気調和機は高効率と低騒音を実現することができる。
【００４８】
実施の形態７．
図１９は、本発明の実施の形態７に係る送風機に用いられるプロペラファンとベルマウスを組合せた構成図である。本発明の実施の形態７に係る送風機１００は、本発明の実施の形態１〜６に係るプロペラファンのいずれか１つを備えた送風機である。なお、図１〜図１８のプロペラファンと同一の構成を有する部位には同一の符号を付してその説明を省略する。また、プロペラファンは、本発明の実施の形態１〜６に係るプロペラファン１〜１Ｅのいずれか１つを備えるものであり、以下の説明では代表してプロペラファン１について説明し、他のプロペラファンについての説明を省略する。
【００４９】
図１９に示すように、送風機１００は、プロペラファン１を径方向の外方から囲むベルマウス３０を備えている。すなわち、プロペラファン１は、その径方向の外方から環状のベルマウス３０に包囲されるように配置されている。プロペラファン１とベルマウス３０との間には、所定の隙間が確保されている。
【００５０】
図２０は、図１９の回転軸を含む径方向のＢ−Ｂ断面図である。図２０は、翼３について、プロペラファン１を、回転軸Ｏを中心に回転させたときに図１９のＢ−Ｂ断面に現れる軌跡を表した図（回転投影した図）となっている。プロペラファン１の外周縁部６が断面に作る軌跡を外周縁２６、内周端部７が断面に作る軌跡を内周縁２７と称する。翼３の回転によってできる外周縁２６の軌跡はおおむね円柱状となる。
【００５１】
図１９及び図２０を用いて、ベルマウス３０の構成について説明する。ダクト部３１は、その円筒状の軌跡に接近してプロペラファン１を囲むベルマウス３０の円筒状の部分のことである。ベルマウス３０の入口部３２は、ダクト部３１よりも気流の上流側に位置し、気流の上流から下流に向かい風路の面積が縮小する部分である。近接点３３は、ベルマウス３０が翼３と最も接近する部分を示しているが、これはベルマウス３０の成形により１点に限らず広さをもった領域となる場合もある。出口部３４は、ダクト部３１よりも気流の下流側に位置し、気流の上流から下流に向かい風路の面積が拡大する部分である。なお、出口部３４は、図１９では断面が円弧状に広がる構成で示されているが、入口部３２と同様に滑らかな曲面で形成されていてもよい。また、ベルマウス３０は、出口部３４を形成する領域において、途中で連続して外周側に拡大しない領域を含んでもよい。
【００５２】
ダクト部３１には、翼３が昇圧した気流の上流側と、気流の下流側との圧力差を確保する働きがある。そのため、気流が漏れないように、翼３とベルマウス３０との隙間の大きさは一般にファン径の０％より大きく３％程度までで設定される。ベルマウス３０を金属のプレス加工で製造する場合、ダクト部３１は内径がほぼ一定の円筒で構成される。ベルマウス３０を樹脂で製造する場合は、ダクト部３１は成形後に型を抜くために抜き方向に数％の抜き勾配が付けられ、内径が回転軸方向に変化する。
【００５３】
図２１は、本発明の実施の形態７に係る送風機の構成例を示す、気流の下流側から見た斜視図である。図２１に示すように、本発明の実施の形態７に係る送風機１００は、ベルマウス３０の気流が排出される出口部３４に設置された網目状の防護ガード３５を備えている。防護ガード３５は、縦横複数の桟３６が格子状に配置されて構成されている。
【００５４】
防護ガード３５は、回転する翼３と、人の指、あるいはその他の異物との接触防止のために取り付けられる。また、プロペラファン１から吹き出した気流に偏りがあると、風速が高くなり桟３６を通過する際の圧力損失や気流の乱れが大きくなる。本発明の実施の形態７に係る送風機１００は、防護ガード３５を設けることで、気流の吹き出し風速の均一化を図ることができる。送風機１００は、防護ガード３５を設けることで、気流の吹き出し風速が均一化されるため、桟３６を通過する気流の風速を従来に比べて低減でき、圧力損失又は騒音を低減することができる。その結果、送風機１００及び送風機１００を備える空気調和機の効率化と騒音低減を実現できる。
【００５５】
実施の形態８．
図２２は、本発明の実施の形態８に係る送風機の構成例を示す、気流の下流側から見た斜視図である。本発明の実施の形態８に係る送風機は、本発明の実施の形態１〜６に係るプロペラファンのいずれか１つを備えた送風機である。なお、図１〜図２１のプロペラファン及び送風機と同一の構成を有する部位には同一の符号を付してその説明を省略する。また、プロペラファンは、本発明の実施の形態１〜６に係るプロペラファン１〜プロペラファン１Ｅのいずれか１つを備えるものであり、以下の説明では代表してプロペラファン１について説明し、他のプロペラファンについての説明を省略する。
【００５６】
一般に、屋外に設置される送風機の場合、防護ガードには飛来物、落下物などが衝突して強い衝撃が加わる場合がある。そのため、防護ガードの破損を防ぐために桟の間隔を狭くして防護ガードの強度を高める必要がある。なお、防護ガードの強度を高めるためには、材質を強度の高いものにすればよいが、材料のコストが高くなるという問題がある。これに対し、材料のコストの問題点がなく、製造の容易さから、ベルマウスの縁付近の桟の間隔を密にすることで防護ガードの強度を高める送風機が採用される例が多い。ただし、従来の送風機では気流が遠心力を受け、桟の間隔が狭い外周部に風が偏るために気流の通風抵抗が大きくなるという問題がある。また、桟で発生する気流の乱れにより騒音が大きくなるという問題もある。
【００５７】
本発明の実施の形態８に係る送風機１００Ａは、プロペラファン１を径方向の外方から囲むベルマウス３０と、ベルマウス３０の気流が排出される出口部３４に設置された網目状の防護ガード３５とを備える。そして、防護ガード３５は、半径方向外側の網目隙間３７が、半径方向内側の網目隙間３８に対して小さく形成されている。つまり、送風機１００Ａは、半径方向外側の網目隙間３７が半径方向内側の網目隙間３８よりも密になるように桟３６を配置した網目状の防護ガード３５を、ベルマウス３０の出口部３４に備えている。また、本発明の実施の形態８に係る送風機１００Ａは、本発明の実施の形態１〜６に係るプロペラファン１〜１Ｅを備えるものである。そのため、本発明の実施の形態８に係る送風機１００Ａでは、吹き出し気流が径方向に均一化されることになり、間隔が狭い桟３６を通過する風の風速が低減する。その結果、本発明の実施の形態８に係る送風機１００Ａによれば、防護ガード３５による気流の通風抵抗が低減され、送風機１００Ａ及び送風機１００Ａを備える空気調和機の効率化と騒音低減を実現できる。加えて、送風機１００Ａの半径方向外側の網目隙間３７が、半径方向内側の網目隙間３８に対して小さくなるように桟３６を配置しているので、防護ガード３５の強度を増加させることができる。
【００５８】
実施の形態９．
図２３は、本発明の実施の形態９に係る空気調和機の構成図である。図２４は、本発明の実施の形態９に係る空気調和機の室外ユニットの構成例を示す斜視図である。図２５は、図２４の室外ユニットのＣ−Ｃ断面図である。図２３〜図２５に基づいて、本発明の実施の形態９に係る空気調和機について説明する。なお、本発明の実施の形態９に係る空気調和機では、本発明の実施の形態１〜８に係るプロペラファン及び送風機との相違点を中心に説明し、本発明の実施の形態１〜８に係るプロペラファン及び送風機と同一部分には、同一符号を付して説明を省略するものとする。また、ここでは、室外ユニット１１０に本発明の実施の形態１に係るプロペラファンが適用されている場合を例に説明するが、室外ユニット１１０には本発明の実施の形態２〜８に係るプロペラファン及び送風機のいずれか１つを適用することができる。
【００５９】
図２３に示すように、空気調和機２００は、室内ユニット１０１と、室外ユニット１１０とを備える。室内ユニット１０１と、室外ユニット１１０とは冷媒配管１５０で接続され、ユニット間に冷媒を循環させることにより冷凍サイクルを構成する。
【００６０】
室内ユニット１０１は、室内側熱交換器１０２と、室内側送風機１０３とを備える。室内側熱交換器１０２は、外気と冷媒との熱交換を行うものであって、暖房運転時には凝縮器として機能し冷房運転時には蒸発器として機能する。室内側送風機１０３は、熱交換を効率的に行うための空気の循環を生成する。
【００６１】
図２４に示すように、室外ユニット１１０は、室外側送風機１２５を備えている。また、室外ユニット１１０は、図２４に示すように、筐体１１２と、筐体１１２に収容されるユニット内機器１１３と、を有している。筐体１１２の上端は天板１１４で覆われ、下端には底板１１５が取り付けられる。天板１１４には、吹き出し口を囲むベルマウス３０が取り付けられる。ベルマウス３０の下流端には防護ガード３５が設けられている。また、図２５に示すように、プロペラファン１を駆動するモータ１１６がプロペラファン１の下側に設けられている。ユニット内機器１１３としては、たとえば、図２３に示す、圧縮機１２１と、流路切替装置１２２と、絞り装置１２３と、室外側熱交換器１２４と、を備えている。
【００６２】
室外側送風機１２５には、本発明の実施の形態７に係る送風機１００又は本発明の実施の形態８に係る送風機１００Ａが用いられる。室外側送風機１２５は、プロペラファン１を備える送風手段であり、熱交換を効率的に行うための空気の循環を生成する。なお、図２５においては、プロペラファン１が示されているが、本発明の実施の形態２〜６に係るプロペラファン１Ａ〜プロペラファン１Ｅのいずれか１つが用いられてもよい。
【００６３】
圧縮機１２１は、吸入した冷媒を圧縮して高温高圧のガス冷媒の状態にして吐出する。流路切替装置１２２は、制御装置（図示せず）からの指示に基づいて冷房運転時と暖房運転時によって冷媒の流れを切り換える。絞り装置１２３は、開度を変化させることで、冷媒の圧力等を調整する。室外側熱交換器１２４は、外気と冷媒との熱交換を行うものであって、暖房運転時には蒸発器として機能し冷房運転時には凝縮器として機能する。室外側熱交換器１２４は、図２５に示すように、筐体１１２の側面に向かい合うように配置されている。
【００６４】
室外ユニット１１０は、できるだけ設置面積を小さくすることが設置場所の自由度が高まるために好ましい。一方、プロペラファン１の送風音を小さくするためには径を大きくすることが好ましく、室外ユニット１１０のユニット幅がほぼプロペラファン１の外径に近くなることがある。室外ユニット１１０は、ベルマウス３０の最上流部の幅１３０よりも、筐体１１２内の向かい合う室外側熱交換器１２４同士の側面間の幅１４０が小さくなるように構成されている。そのため、室外ユニット１１０では、室外側熱交換器１２４を通過した気流Ｆ２が室外側送風機１２５に向かうとき、回転軸Ｏの軸側に流入することになり、室外側送風機１２５の内周側に風が流入する。そして、室外ユニット１１０では、本発明の実施の形態１〜６に係るプロペラファンのいずれか１つを適用するようにしているので、気流が室外側送風機１２５の外側に偏ることがなく室外側送風機１２５を効率がよい状態で動作させることができる。そのため、空気調和機２００の効率化と騒音低減を実現することができる。
【００６５】
なお、本発明の実施の形態は、上記実施の形態１〜９に限定されない。例えば、空気調和機としては、たとえば、ルームエアコン、パッケージエアコン、ビル用マルチエアコン、ヒートポンプ給湯機等、ショーケースなどの冷凍装置に適用することができる。また、室内ユニット１０１の室内側送風機１０３に、本発明の実施の形態１〜６に係るプロペラファン１〜プロペラファン１Ｅ又は本発明の実施の形態７及び８に係る送風機１００及び送風機１００Ａを用いることができる。
【符号の説明】
【００６６】
１  プロペラファン、１Ａ  プロペラファン、１Ｂ  プロペラファン、１Ｃ  プロペラファン、１Ｄ  プロペラファン、１Ｅ  プロペラファン、２  ボス、３  翼、４  前縁部、５  後縁部、６  外周縁部、７  内周端部、８  圧力面、９  負圧面、１０  外側湾曲部、１１  内側湾曲部、１２  谷状部、２０ａ  第１極大点、２０ａ１  起点、２０ｂ  第２極大点、２０ｂ１  起点、２０ｂ２  終点、２０ｃ１  始点、２０ｃ２  中間点、２０ｃ３  終点、２１  極小点、２２  接続点、２３  中点、２４  中点、２６  外周縁、２７  内周縁、３０  ベルマウス、３１  ダクト部、３２  入口部、３３  近接点、３４  出口部、３５  防護ガード、３６  桟、３７  網目隙間、３８  網目隙間、１００  送風機、１００Ａ  送風機、１０１  室内ユニット、１０２  室内側熱交換器、１０３  室内側送風機、１１０  室外ユニット、１１２  筐体、１１３  ユニット内機器、１１４  天板、１１５  底板、１１６  モータ、１２１  圧縮機、１２２  流路切替装置、１２３  絞り装置、１２４  室外側熱交換器、１２５  室外側送風機、１５０  冷媒配管、２００  空気調和機。
【図１】
0006719641.tif 000002
【図２】
0006719641.tif 000003
【図３】
0006719641.tif 000004
【図４】
0006719641.tif 000005
【図５】
0006719641.tif 000006
【図６】
0006719641.tif 000007
【図７】
0006719641.tif 000008
【図８】
0006719641.tif 000009
【図９】
0006719641.tif 000010
【図１０】
0006719641.tif 000011
【図１１】
0006719641.tif 000012
【図１２】
0006719641.tif 000013
【図１３】
0006719641.tif 000014
【図１４】
0006719641.tif 000015
【図１５】
0006719641.tif 000016
【図１６】
0006719641.tif 000017
【図１７】
0006719641.tif 000018
【図１８】
0006719641.tif 000019
【図１９】
0006719641.tif 000020
【図２０】
0006719641.tif 000021
【図２１】
0006719641.tif 000022
【図２２】
0006719641.tif 000023
【図２３】
0006719641.tif 000024
【図２４】
0006719641.tif 000025
【図２５】
0006719641.tif 000026